(57)【要約】      （修正有）【課題】機器の増設を行うことなく１つのローカルシステムから他のローカルシステムを制御できる照明制御システムを提供する。【解決手段】照明制御システム１０は、第１照明制御システム１１と、第２照明制御システム１２と、を備える。第１照明制御システム１１は、第１スイッチ４−１と、負荷の動作を制御する第１端末器３−１と、第１スイッチ４−１の操作に応じて、第１端末器３−１に該負荷の動作を制御させ、第２照明制御システム１２に制御情報を送信する第１照明コントローラ２−１と、を備える。第２照明制御システム１２は、第２スイッチ４−２と、負荷の動作を制御する第２端末器３−２と、該第２スイッチ４−２の操作又は該制御情報に応じて、第２端末器３−２に該負荷の動作を制御させる第２照明コントローラ２−２と、を備える。【選択図】図１
2019192605.tif 000002
【特許請求の範囲】
【請求項１】
第１照明制御システムと、
第２照明制御システムと、
を備え、
前記第１照明制御システムは、
第１スイッチと、
負荷の動作を制御する第１端末器と、
前記第１スイッチの操作に応じて、前記第１端末器に前記負荷の動作を制御させ、前記第２照明制御システムに制御情報を送信する第１照明コントローラと、
を備え、
前記第２照明制御システムは、
第２スイッチと、
負荷の動作を制御する第２端末器と、
前記第２スイッチの操作、または、前記制御情報に応じて、前記第２端末器に前記負荷の動作を制御させる第２照明コントローラと、
を備えることを特徴とする照明制御システム。
【請求項２】
前記第１照明コントローラは、前記第２照明コントローラに前記制御情報としてゾーン制御指令を送信することを特徴とする請求項１に記載の照明制御システム。
【請求項３】
前記第１照明コントローラは、ＬＡＮを介し前記第２照明コントローラに前記ゾーン制御指令を送信することを特徴とする請求項２に記載の照明制御システム。
【請求項４】
前記第２照明制御システムは、前記第２端末器を複数備え、
前記制御情報は、前記複数の第２端末器のうち制御対象である第２端末器を指定する情報を含み、
前記第２照明コントローラは、前記制御情報に応じて前記制御対象である第２端末器に前記負荷の動作を制御させることを特徴とする請求項１から３の何れか１項に記載の照明制御システム。
【請求項５】
前記第１照明制御システムは、前記第１端末器を複数備え、
前記第１スイッチは、前記第１照明制御システムと前記第２照明制御システムとに亘った制御対象領域であるゾーンを指定するボタンを有し、
前記制御情報は、前記ボタンの操作によって指定された前記ゾーンの情報を含み、
前記第１照明コントローラは、前記ボタンの操作に応じて、前記複数の第１端末器のうち前記ゾーンに属する第１端末器に前記負荷の動作を制御させ、
前記第２照明コントローラは、前記制御情報に応じて、前記複数の第２端末器のうち前記ゾーンに属する第２端末器に前記負荷の動作を制御させることを特徴とする請求項４に記載の照明制御システム。
【請求項６】
前記複数の第２端末器の各々は自己が属するグループを記憶し、
前記制御情報は、制御対象であるグループの情報を含み、
前記第２照明コントローラは、前記制御情報を受信すると、前記制御対象であるグループの情報を前記複数の第２端末器に送信し、
前記複数の第２端末器は、前記制御対象であるグループと前記自己が属するグループとが一致すると、前記負荷を制御することを特徴とする請求項４または５に記載の照明制御システム。
【請求項７】
前記第２スイッチは、前記複数の第２端末器の状態を表示する表示部を有し、自己が属するグループを記憶し、
前記第１照明コントローラは、前記第１スイッチの操作に応じてスイッチ表示指令を送信し、
前記第２スイッチは、前記制御対象であるグループと前記自己が属するグループが一致すると、前記スイッチ表示指令に応じて前記表示部に前記複数の第２端末器の状態を表示することを特徴とする請求項６に記載の照明制御システム。
【請求項８】
前記負荷は照明器具であることを特徴とする請求項１から７の何れか１項に記載の照明制御システム。
【請求項９】
前記第２照明コントローラには、前記第１照明コントローラからの前記制御情報の受付の可否が記憶されることを特徴とする請求項１から８の何れか１項に記載の照明制御システム。
【発明の詳細な説明】
【技術分野】
【０００１】
本発明は、照明制御システムに関する。
【背景技術】
【０００２】
特許文献１には、中央処理装置と各端末器とを伝送線で接続して構成されるシステムを複数備える遠隔監視制御システムが開示されている。この遠隔監視制御システムでは、スイッチの操作情報を各システム間で伝達するブリッジユニットを各システムの伝送線間に設ける。ブリッジユニットを介して情報を各システム間に伝達し、各システムで同一のスイッチを一斉に操作した場合と同様の制御を行う。
【先行技術文献】
【特許文献】
【０００３】
【特許文献１】特開平０７−１８４２７３号公報
【発明の概要】
【発明が解決しようとする課題】
【０００４】
一般に、制御装置から伝送される信号を送受信する制御端末器に負荷として照明器具が接続された照明制御システムがある。制御端末器は子機インタフェース装置とも呼ばれる。また、特許文献１に示されるように、照明制御システムを複数まとめて、複数系統のローカルシステムを備えた遠隔監視制御システムが構成されることがある。
【０００５】
このような遠隔監視制御システムでは、ローカルシステムの各々において、子機インタフェース装置と壁スイッチと複数の制御端末器でグループ制御が成されることがある。この場合、１つのローカルシステムに設けられた壁スイッチから、他のローカルシステムに設けられた複数の制御端末器を制御することはできない。このような遠隔監視制御システムにおいて、１つのローカルシステムから他のローカルシステムを制御する場合、機器増設または配線変更が必要となる場合があった。
【０００６】
また、特許文献１では、複数系統のローカルシステムを制御するために、ネットワークコントローラであるブリッジユニットで集中管理している。ここで、特許文献１では、１つのローカルシステムから他のローカルシステムを制御するために、ブリッジユニットを設ける必要がある。また、ブリッジユニットが故障すると、ブリッジユニットをまたぐ操作を行う壁スイッチは全て、動作不良となってしまうおそれがあった。
【０００７】
本発明は、上述の課題を解決するためになされたもので、機器の増設を行うことなく１つのローカルシステムから他のローカルシステムを制御できる照明制御システムを得ることを目的とする。
【課題を解決するための手段】
【０００８】
本発明に係る照明制御システムは、第１照明制御システムと、第２照明制御システムと、を備え、該第１照明制御システムは、第１スイッチと、負荷の動作を制御する第１端末器と、該第１スイッチの操作に応じて、該第１端末器に該負荷の動作を制御させ、該第２照明制御システムに制御情報を送信する第１照明コントローラと、を備え、該第２照明制御システムは、第２スイッチと、負荷の動作を制御する第２端末器と、該第２スイッチの操作、または、該制御情報に応じて、該第２端末器に該負荷の動作を制御させる第２照明コントローラと、を備える。
【発明の効果】
【０００９】
本発明に係る照明制御システムでは、第１照明制御システムにおいて第１照明コントローラが、第１スイッチの操作に応じて第２照明制御システムに制御情報を送信する。第２照明制御システムでは、第２照明コントローラが制御情報に応じて第２端末器に負荷の動作を制御させる。従って、機器の増設を行うことなく１つのローカルシステムから他のローカルシステムを制御できる。
【図面の簡単な説明】
【００１０】
【図１】実施の形態１に係る照明制御システムのブロック図である。
【図２】実施の形態１に係る第１スイッチの正面図である。
【図３】実施の形態１に係る照明制御システムにおける通信フレームの構成を説明する図である。
【図４】実施の形態１に係る照明制御システムのグループ制御の通信シーケンスを説明する図である。
【図５】実施の形態１に係る照明制御システムのゾーン制御の通信シーケンスを説明する図である。
【発明を実施するための形態】
【００１１】
本発明の実施の形態に係る照明制御システムについて図面を参照して説明する。同じ又は対応する構成要素には同じ符号を付し、説明の繰り返しを省略する場合がある。
【００１２】
実施の形態１．
図１は、実施の形態１に係る照明制御システム１０のブロック図である。照明制御システム１０は、設定器１と、第１照明制御システム１１と、第２照明制御システム１２とを備える。
【００１３】
設定器１は、照明制御システム１０の一斉点灯、スケジュール点灯等の設定操作を行う。また、設定器１は、消費電力の見える化、故障箇所の把握等の管理を行う。設定器１は、例えばパソコンで構成される。
【００１４】
第１照明制御システム１１は、第１スイッチ４−１を備える。第１スイッチ４−１は例えば壁スイッチである。また、第１照明制御システム１１は、負荷の動作を制御する複数の第１端末器３−１を備える。これに限らず、第１照明コントローラ２−１には、第１端末器３−１が少なくとも１台接続されれば良い。第１端末器３−１の各々には複数のリモコンリレー６が接続される。各々のリモコンリレー６には負荷が接続される。負荷は、例えば照明器具２０である。図１では便宜上、負荷の一部が省略されている。
【００１５】
第１照明制御システム１１は、制御装置である第１照明コントローラ２−１を備える。第１照明コントローラ２−１は、第１スイッチ４−１の操作に応じて、第１端末器３−１に負荷の動作を制御させる。また、第１照明コントローラ２−１は、第１スイッチ４−１の操作に応じて、第２照明制御システム１２に後述するゾーン制御指令を送信する。
【００１６】
さらに、第１照明制御システム１１は、照度センサまたは人感センサ等のセンサ５−１及びリモコントランス７を備える。センサ５−１は、照度または人の通過の有無等をセンシングした情報を第１照明コントローラ２−１に送信する。
【００１７】
複数の第１端末器３−１は、通信線８１によって第１照明コントローラ２−１と接続されている。通信線８１には、第１スイッチ４−１並びにセンサ５−１も接続される。第１照明コントローラ２−１に接続された機器間は、一対の通信線８１を渡り配線することにより接続される。通信線８１にて接続された機器は、双極性の時分割多重信号で互いに通信する。双極性の時分割多重信号は、例えば±２４Ｖの信号である。第１照明制御システム１１では通信線８１を用いた通信が行われるが、無線を用いて通信が行われても良い。無線は例えばブルートゥース（登録商標）、ＷｉＦｉ（登録商標）、サブギガである。
【００１８】
第１端末器３−１の制御線とリモコンリレー６の入力側の一端は、制御信号線で接続されている。図１では、１台の端末器に対し、４台のリモコンリレー６の入力側の一端が制御信号線を介して接続されている。なお、リモコンリレー６を内蔵した第１端末器３−１を第１照明コントローラ２−１に接続してもよい。
【００１９】
リモコントランス７の入力側は、外部電源に接続される。リモコントランス７は、第１端末器３−１の制御側及びリモコンリレー６の入力側にリモコンリレー６のリレー駆動電力を供給する。リレー駆動電力は、例えばＡＣ２４Ｖである。リモコントランス７の出力側の一端は、第１端末器３−１の共通端子に接続される。また、リモコントランス７の出力側の他端は、リモコンリレー６の入力側の他端に接続される。
【００２０】
第１照明コントローラ２−１は、通信線８１を介して第１端末器３−１、第１スイッチ４−１及びセンサ５−１と通信を行う。第１照明コントローラ２−１が送受信する通信信号は、アドレスデータ及び制御コマンドデータを含む。第１端末器３−１は、ディップスイッチ等で構成されたアドレス設定部を備える。アドレス設定部を操作することにより、第１端末器３−１の各々に固有のアドレスが割り当てられる。本実施の形態では、ディップスイッチでアドレス設定をしているが、赤外線通信、ブルートゥース（登録商標）等により、図示しないリモコン設定器を用いて設定しても良い。
【００２１】
第１端末器３−１は、通信線８１を介して第１照明コントローラ２−１が送信する通信信号を受信する受信部を備える。また、第１端末器３−１は、通信信号のアドレスデータを第１端末器３−１に割り当てられた固有のアドレスと比較する比較部を有する。比較部が、通信信号のアドレスデータが第１端末器３−１に割り当てられた固有のアドレスと一致すると判断した場合、第１端末器３−１は通信信号の制御コマンドを実行する。つまり、第１端末器３−１は、共通端子とリモコンリレー６の一端との間を電気的に接続させる。この第１端末器３−１の制御側の動作により、リモコンリレー６の入力側には、リモコントランス７からリレー駆動電力が供給される。
【００２２】
リモコンリレー６の入力側にリレー駆動電力が入力されると、リモコンリレー６は負荷側の２つの端子間を断続させる。リモコンリレー６の負荷側の２つの端子間には、外部電源と照明器具２０等の負荷が直列に接続される。これにより、照明器具２０等の負荷に供給される外部電源の電力を断続させることができる。このようにして、第１端末器３−１は、負荷である照明器具２０等の動作を制御する。
【００２３】
第２照明コントローラ２−２の構成は、第１照明コントローラ２−１と同様である。第２照明コントローラ２−２は、第２スイッチ４−２を備える。また、第２照明コントローラ２−２は、負荷の動作を制御する複数の第２端末器３−２を備える。これに限らず、第２照明コントローラ２−２には、第２端末器３−２が少なくとも１台接続されれば良い。第２照明コントローラ２−２は、第２スイッチ４−２の操作、または、後述するゾーン制御指令に応じて、第２端末器３−２に負荷の動作を制御させる。また、第２照明コントローラ２−２は、照度センサまたは人感センサ等のセンサ５−２を備える。
【００２４】
また、設定器１、第１照明コントローラ２−１及び第２照明コントローラ２−２は、有線または無線の通信網であるＬＡＮ（Ｌｏｃａｌ  Ａｒｅａ  Ｎｅｔｗｏｒｋ）８０により接続されている。
【００２５】
図２は、実施の形態１に係る第１スイッチ４−１の正面図である。第１スイッチ４−１は、複数のボタン４２を備える。複数のボタン４２は、複数の第１端末器３−１、後述するグループおよびゾーンに対応するボタン４２を含む。ボタン４２の操作により、照明器具２０が点灯または消灯する。また、ボタン４２により照明器具２０の調光率が操作されても良い。
【００２６】
第１スイッチ４−１は、第１スイッチ４−１の特定のボタン４２が押下されたことを示す押下信号を第１照明コントローラ２−１に送信する。押下信号を受信した第１照明コントローラ２−１は、特定のボタン４２とひも付けされた第１端末器３−１に操作コマンドを送信する。第１スイッチ４−１のボタン４２と、第１端末器３−１の固有アドレスとのひも付け情報である対応テーブルは、第１照明コントローラ２−１に保管される。
【００２７】
第１スイッチ４−１及びセンサ５−１がアドレス設定部を備えている場合、第１スイッチ４−１及びセンサ５−１のアドレスは、アドレス設定部の操作により設定されても良い。第１スイッチ４−１及びセンサ５−１がアドレス設定部を備えていない場合、第１スイッチ４−１及びセンサ５−１のアドレスは、通電時に設定器１または図示しないリモコン設定器を用いて設定される。
【００２８】
また、第１スイッチ４−１は、複数の第１端末器３−１の状態を表示する表示部４４、４６を有する。表示部４４、４６は、複数の第１端末器３−１の状態をＬＥＤにより表示する。表示部４４、４６は各々のボタン４２に設けられている。表示部４４は例えば赤色のＬＥＤを備える。表示部４６は例えば緑色のＬＥＤを備える。ボタン４２に対応する第１端末器３−１の負荷が点灯状態のとき、表示部４４が点灯し表示部４６が消灯する。ボタン４２に対応する第１端末器３−１の負荷が消灯状態のとき、表示部４４が消灯し表示部４６が点灯する。
【００２９】
第２スイッチ４−２の構成は、第１スイッチ４−１の構成と同様である。第２スイッチ４−２は、複数の第２端末器３−２の状態を表示する表示部４４、４６を有する。第２スイッチ４−２のボタン４２と、第２端末器３−２の固有アドレスとのひも付け情報である対応テーブルは、第２照明コントローラ２−２に保管される。
【００３０】
図３は、実施の形態１に係る照明制御システム１０における通信フレームの構成を説明する図である。通信フレームは、照明制御システム１０内で送受信される通信信号の単位である。通信信号に含まれる送信先アドレス領域には、機器アドレス、グループ番号またはゾーン番号を指定可能である。以下、送信先アドレス領域にグループ番号、ゾーン番号を指定した通信を、それぞれグループ同報、ゾーン同報と言う。
【００３１】
機器アドレスは、第１照明コントローラ２−１及び第２照明コントローラ２−２に接続されている機器のアドレスを示す。グループ番号は、各照明コントローラに接続される機器のうち、一括して制御される機器がグループ指定される番号である。また、ゾーン番号は、第１照明制御システム１１と第２照明制御システム１２とに亘った制御対象領域であるゾーンの番号である。ゾーンには、第１照明コントローラ２−１に接続された機器及び第２照明コントローラ２−２に接続された機器が含まれる。ここで、ゾーンとは、少なくとも１つ以上のグループからなる集合体であり、グループは少なくとも１つ以上の最小制御単位からなる集合体である。
【００３２】
通信信号に含まれる送信元アドレス領域には、通信信号の送信元の機器のアドレスが指定される。コマンド領域には、通信信号によるコマンドの種類が指定される。また、データ領域には、コマンドに対応したデータが指定される。
【００３３】
図３に示されるグループ情報登録は、グループに属する機器を各照明コントローラに登録するコマンドである。このとき、データ領域には、グループに含まれる機器のアドレスが指定される。ゾーン情報登録は、ゾーンに属するグループを各照明コントローラに登録するコマンドである。このとき、データ領域にはグループ番号と、ゾーンに属する壁スイッチの情報が指定される。
【００３４】
ゾーン制御指令は、照明コントローラ間で送受信されるコマンドである。第１スイッチ４−１は、ゾーンを指定するボタン４２を有する。ボタン４２の操作に応じて、第１照明コントローラ２−１は第２照明コントローラ２−２にゾーン制御指令を送信する。第１照明コントローラ２−１は、ＬＡＮ８０を介し第２照明コントローラ２−２にゾーン制御指令を送信する。第２照明コントローラ２−２は、ゾーン制御指令に応じて複数の第２端末器３−２のうちゾーンに属する第２端末器３−２に負荷の動作を制御させる。
【００３５】
また、第２スイッチ４−２が、ゾーンを指定するボタン４２を有しても良い。ボタン４２の操作に応じて、第２照明コントローラ２−２は第１照明コントローラ２−１にゾーン制御指令を送信する。第２照明コントローラ２−２は、ＬＡＮ８０を介し第１照明コントローラ２−１にゾーン制御指令を送信する。第１照明コントローラ２−１は、ゾーン制御指令に応じて複数の第１端末器３−１のうちゾーンに属する第１端末器３−１に負荷の動作を制御させる。
【００３６】
ゾーン制御指令に対応するデータ領域には、ゾーン番号及び調光指令が指定される。調光指令は、照明器具２０のＯＮ／ＯＦＦ、調光情報またはフェード時間等を含む。調光情報は、ＯＮ、ＯＦＦ、調光率等の情報である。フェード時間は次の状態への遷移時間の情報である。
【００３７】
グループ番号登録は、各機器にグループ番号を登録するコマンドである。このとき、データ領域には、登録するグループ番号が指定される。
【００３８】
スイッチ情報登録は、第１スイッチ４−１または第２スイッチ４−２のボタン４２に、ボタン４２が属する機器、グループまたはゾーンを登録するコマンドである。このとき、データ領域には、ボタン４２が属する機器、グループまたはゾーンを示すボタン属性と、ボタン４２の番号とが指定される。
【００３９】
ボタン操作通知は、第１スイッチ４−１または第２スイッチ４−２が、ボタン４２が押下されたことを第１照明コントローラ２−１または第２照明コントローラ２−２に通知するコマンドである。このとき、データ領域には、押下されたボタン４２のボタン属性と番号が指定される。
【００４０】
グループ制御指令は、第１照明コントローラ２−１から第１照明コントローラ２−１の配下のグループに、または、第２照明コントローラ２−２から第２照明コントローラ２−２の配下のグループに送信されるコマンドである。第１スイッチ４−１は、グループを指定するボタン４２を有する。第１照明コントローラ２−１は、ボタン４２の操作によって指定されたグループに属する第１端末器３−１に、グループ制御指令を送信する。第１端末器３−１は、グループ制御指令に応じて負荷を制御する。
【００４１】
また、第２スイッチ４−２は、グループを指定するボタン４２を有する。第２照明コントローラ２−２は、ボタン４２の操作によって指定されたグループに属する第２端末器３−２に、グループ制御指令を送信する。第２端末器３−２は、グループ制御指令に応じて負荷を制御する。
【００４２】
グループ制御指令に対応するデータ領域には、調光指令が指定される。調光指令は、照明器具２０のＯＮ／ＯＦＦ、調光情報またはフェード時間等を含む。
【００４３】
スイッチ表示指令は、各照明コントローラから第１スイッチ４−１または第２スイッチ４−２に送信されるコマンドである。スイッチ表示指令に応じて、第１スイッチ４−１は第１端末器３−１の状態を表示部４４、４６に表示させる。また、スイッチ表示指令に応じて、第２スイッチ４−２は第２端末器３−２の状態を表示部４４、４６に表示させる。このとき、データ領域には、照明器具２０のＯＮ／ＯＦＦまたは調光情報が指定される。
【００４４】
個別制御指令は、第１照明コントローラ２−１から第１照明コントローラ２−１の配下の機器に、または、第２照明コントローラ２−２から第２照明コントローラ２−２の配下の機器に送信されるコマンドである。第１スイッチ４−１は、配下の機器を指定するボタン４２を有する。第１照明コントローラ２−１は、ボタン４２の操作によって指定された第１端末器３−１に、個別制御指令を送信する。第１端末器３−１は、個別制御指令に応じて負荷を制御する。
【００４５】
また、第２スイッチ４−２は、配下の機器を指定するボタン４２を有する。第２照明コントローラ２−２は、ボタン４２の操作によって指定された第２端末器３−２に、個別制御指令を送信する。第２端末器３−２は、個別制御指令に応じて負荷を制御する。
【００４６】
個別制御指令に対応するデータ領域には、調光指令が指定される。調光指令は、照明器具２０のＯＮ／ＯＦＦ、調光情報またはフェード時間等を含む。
【００４７】
なお、図３において各コマンドの左欄には、コマンドの送信先が個別の機器、グループまたはゾーンの何れであるかが示されている。Ａは送信先が個別の機器、Ｂは送信先がグループ、Ｃは送信先がゾーンであることを示す。
【００４８】
このように、各照明コントローラは通信線８１を介し、機器アドレスを指定して個別制御指令を送信することにより、個々の機器を個別に操作できる。また、各照明コントローラは通信線８１を介し、グループ番号を指定してグループ制御指令を送信することにより、グループ内の機器を一斉に操作できる。さらに、各照明コントローラ２はＬＡＮ８０及び通信線８１を介し、ゾーン番号を指定してゾーン制御指令を送信することにより、他の照明コントローラに接続された機器を操作できる。
【００４９】
ここで、第１照明コントローラ２−１に接続された機器と、グループ番号の対応関係は、設定器１により第１照明コントローラ２−１に登録される。また、第２照明コントローラ２−２に接続された機器と、グループ番号の対応関係は、設定器１により第２照明コントローラ２−２に登録される。また、ゾーン番号と、グループ番号及び壁スイッチの対応関係は、各照明コントローラに登録される。表１に、各照明コントローラにおける機器、グループ番号及びゾーン番号の対応関係の設定例を示す。
【００５０】
表１において、ＬＣ１は第１照明コントローラ２−１を示し、ＬＣ２は第２照明コントローラ２−２を示す。また、ＴＵ１〜３は複数の第１端末器３−１を示し、ＳＷ１は第１スイッチ４−１または第２スイッチ４−２を示す。Ｇ１はグループ１の番号であり、Ｇ２はグループ２の番号である。Ｚ１はゾーン１の番号である。
【００５１】
【表１】
2019192605.tif 000003
【００５２】
表１では、第１照明コントローラ２−１のグループ１に、ＴＵ１、ＴＵ２及びＴＵ３が設定されている。また、第２照明コントローラ２−２のグループ１にＴＵ１が設定され、グループ２にＴＵ２、ＴＵ３及び第２スイッチ４−２が設定されている。また、第１照明コントローラ２−１では、ゾーン１にグループ１と第１スイッチ４−１が設定される。第２照明コントローラ２−２では、ゾーン１にグループ１が設定される。つまりゾーン１には、第１照明コントローラ２−１のグループ１と第１スイッチ４−１及び第２照明コントローラ２−２のグループ１が設定される。このように、ゾーンにグループ及び壁スイッチが設定されることにより、機器を個別に指定すること無しに各照明コントローラに接続された機器を一斉操作できる。また、機器を個別に指定して制御指令を送信しないため、通信信号の伝送量である通信トラフィックの増大を抑えることができる。
【００５３】
表１のまたぎは、他の照明コントローラからのゾーン制御指令の受付の可否を示している。第１照明コントローラ２−１には、第２照明コントローラ２−２からのゾーン制御指令の受付の可否が記憶される。第２照明コントローラ２−２には、第１照明コントローラ２−１からのゾーン制御指令の受付の可否が記憶される。ここでは、第１照明コントローラ２−１と第２照明コントローラ２−２は、共に他の照明コントローラからのゾーン制御指令を受付けている。
【００５４】
図４は、実施の形態１に係る照明制御システム１０のグループ制御の通信シーケンスを説明する図である。図４に示される制御フロー図を用いて、第１照明コントローラ２−１でグループ１が指定された場合のグループ制御の動作を説明する。照明制御システム１０の制御動作は、通信の受信等のイベント発生により開始される。つまり、照明制御システム１０はイベントドリブン方式により動作する。
【００５５】
まず、ユーザが第１スイッチ４−１のうちグループ１を指定するボタン４２を押下したとする。このとき、制御動作１に示されるように、第１スイッチ４−１はスイッチ入力を割り込み制御により読み出す。第１スイッチ４−１には、スイッチ状態がデータＡとして書き込まれる。これにより、第１スイッチ４−１のうちグループ１のスイッチ状態が、押下なしから押下ありに変化する。
【００５６】
また、制御動作１０に示されるように、第１照明コントローラ２−１は、第１スイッチ４−１の起動を割り込み制御によりモニタしている。第１照明コントローラ２−１は、定期的に起動モニタ信号を第１スイッチ４−１に送信する。起動モニタ信号は、第１スイッチ４−１のスイッチ状態の確認命令である。
【００５７】
第１スイッチ４−１は、第１照明コントローラ２−１からの起動モニタ信号を受信すると、制御動作２に示されるように、イベント状態を確認する。つまり、第１スイッチ４−１は、データＡに書き込まれた第１スイッチ４−１のスイッチ状態を確認する。第１スイッチ４−１は、スイッチ状態に変化があった場合、制御動作３に示されるように第１照明コントローラ２−１にボタン操作通知を送信する。ボタン操作通知には、ＬＣ１のグループ１において押下ありという情報が含まれる。
【００５８】
ボタン操作通知を受信した第１照明コントローラ２−１は、制御動作１１に示されるように、ＬＣ１のグループ１において押下ありというスイッチの変化情報をデータＦとして記憶する。
【００５９】
ここで、第１照明コントローラ２−１は、制御対象のステータステーブルをデータＧとして記憶している。制御対象のステータステーブルは、複数の第１端末器３−１の状態を示す。制御動作１２に示されるように、第１照明コントローラ２−１は、スイッチ状態に応じてデータＧを書き換える。制御対象のステータステーブルは、停電等によりデータが消失して動作が不安定化しないように、フラッシュメモリ等の不揮発性メモリに保存される。制御対象のステータステーブルは、個々の機器アドレス及び制御状態を含む。制御状態は、ＯＮ／ＯＦＦ、調光情報及びフェード時間等である。なお、制御動作１２は、他の制御に優先して実施される。
【００６０】
次に、第１照明コントローラ２−１は、制御動作１３に示されるように、指定されたグループ番号に対応する各機器アドレスにグループ制御指令を送信する。第１照明コントローラ２−１は、制御対象のステータステーブルが変化した機器のみに、ＯＮ／ＯＦＦ指令等の調光指令を送信する。つまり、第１照明コントローラ２−１は、ＴＵ１、ＴＵ２、ＴＵ３に調光指令を送信する。
【００６１】
これに限らず、第１照明コントローラ２−１は、第１照明コントローラ２−１に接続された機器全てにグループ制御指令を送信しても良い。この場合、グループ制御指令は、制御対象であるグループ番号と調光指令とを含む。複数の第１端末器３−１は、自己の属するグループと、グループ制御指令で指定されたグループ番号とが一致した場合に、調光指令を実施する。この場合、通信線８１の通信トラフィックは増大するが、第１照明コントローラ２−１に記憶された制御対象のステータステーブルと各機器の状態が不一致となるおそれを小さくできる。
【００６２】
この結果、制御動作７から９に示されるように、グループ１に属するＴＵ１、ＴＵ２、ＴＵ３が点灯する。各第１端末器３−１は、第１照明コントローラ２−１から送信された制御状態を、データＣ〜Ｅとして不揮発性メモリに記憶する。
【００６３】
次に、第１照明コントローラ２−１は、制御動作１４に示されるように、第１スイッチ４−１にＬＥＤ表示指令を送信する。ここでは、グループ１、ＴＵ１、ＴＵ２及びＴＵ３に対応するボタン４２において、表示部４６を消灯させ、表示部４４を点灯させる。つまり、ＬＥＤ表示を緑から赤に変化させる。
【００６４】
第１スイッチ４−１は、ＬＥＤ表示指令を受信すると、制御動作６に示されるようにＬＥＤ表示を変化させる。また、第１スイッチ４−１は、ＬＥＤ表示状態をデータＢとしてフラッシュメモリ等の不揮発性メモリに記憶する。これにより、ユーザによる第１スイッチ４−１の押下動作から始まった一連のイベントが終了する。
【００６５】
なお、図４の制御動作４に示されるように、第１スイッチ４−１はボタン操作通知を送信した後、データＡとして一時的に記憶されたスイッチ状態をクリアしても良い。また、制御動作５に示されるように、第１スイッチ４−１はスイッチ状態に合わせてＬＥＤ表示を自ら更新しても良い。この場合、第１スイッチ４−１は押下されたスイッチのＬＥＤ表示を反転させる。
【００６６】
表１に示される例では、第１スイッチ４−１のグループ１に対応するボタン４２を押下して、第１照明コントローラ２−１のグループ１を指定することにより、３台の第１端末器３−１を一斉に操作できる。
【００６７】
同様に、第２スイッチ４−２のグループ１に対応するボタン４２を押下して、第２照明コントローラ２−２のグループ１を指定することにより、第２端末器３−２のうちＴＵ１を操作できる。また、第２スイッチ４−２のグループ２に対応するボタン４２を押下して、第２照明コントローラ２−２のグループ２を指定することにより、第２端末器３−２のうちＴＵ２、ＴＵ３を一斉に操作できる。このように、第２スイッチ４−２により、第２端末器３−２の複数のグループを個別に操作できる。
【００６８】
以上から、照明制御システム１０では、グループ番号を用いることにより各照明コントローラに接続された１台以上の機器を一斉に操作できる。なお、各照明コントローラに設定可能なグループ数は、２以上あってもよい。
【００６９】
次に、ゾーン設定及びゾーン制御について説明する。ゾーン制御では、照明制御システム１０において、一方の照明コントローラに接続された壁スイッチから、一方の照明コントローラに接続された端末器と、他方の照明コントローラに接続された端末器とを一斉操作できる。言い換えると、ゾーン制御により、一方の照明コントローラに接続された壁スイッチから、一方の照明コントローラをまたいで他方の照明コントローラに接続された端末器を制御できる。以下、一方の照明コントローラをまたいで制御することを「またぎがある」、またいで制御しないことを「またぎが無い」と言う。
【００７０】
表１に示すように、１つのゾーン番号に複数の照明コントローラの配下のグループ番号および壁スイッチが登録される。このため、ゾーンには、個々の機器を直接登録できない。図３に示されるように、各照明コントローラが送受信するゾーン制御指令に対応するデータ領域には、ゾーン番号が指定され、端末器のアドレスを指定しない。
【００７１】
本実施形態の照明制御システム１０は、第１スイッチ４−１の操作に応じて、第１照明コントローラ２−１は第２照明コントローラ２−２にゾーン制御指令を送信する。これにより、第１スイッチ４−１から第１照明コントローラ２−１をまたぎ、第２照明コントローラ２−２に接続された第２端末器３−２を制御できる。
【００７２】
第１スイッチ４−１は、ゾーンに対して点灯、消灯等の調光指令を行うボタン４２を有する。このボタンをゾーンボタンと呼ぶ。ゾーンボタンが押下されると、第１照明コントローラ２−１から他の全ての照明コントローラに、ゾーン制御指令が送信される。
【００７３】
即ち、図３に示すように、ゾーン制御指令の送信先アドレス領域には、他の照明コントローラである第２照明コントローラ２−２のアドレスが設定される。また、ゾーン制御指令の送信元アドレス領域には、ゾーンボタンが押下された第１スイッチ４−１が接続された第１照明コントローラ２−１のアドレスが設定される。また、ゾーン制御指令のデータ領域には、ゾーン番号及び制御指令が設定される。
【００７４】
グループ設定とゾーン設定の特徴を表２に示す。
【００７５】
【表２】
2019192605.tif 000004
【００７６】
図５は、実施の形態１に係る照明制御システム１０のゾーン制御の通信シーケンスを説明する図である。まず、図５を用いて、グループ情報登録及びゾーン情報登録の動作の一例を示す。
【００７７】
先ず、設定器１またはリモコン設定器は、ＬＡＮ８０を介して第１照明コントローラ２−１にグループ情報登録と、ゾーン情報登録のコマンドを送信する。グループ情報登録に対応するデータ領域には、Ｇ１＝ＴＵ１、ＴＵ２、ＴＵ３というグループ情報が含まれる。また、ゾーン情報登録に対応するデータ領域には、Ｚ１＝Ｇ１、ＳＷ１、またぎ可というゾーン情報が含まれる。第１照明コントローラ２−１は、グループ情報及びゾーン情報を不揮発性メモリに保存する。ここで、またぎ可は、他の照明コントローラからのまたぎ制御指令を受付可であることを示す。
【００７８】
第１照明コントローラ２−１は、通信線８１を介してＴＵ１、ＴＵ２及びＴＵ３にグループ番号登録のコマンドを送信する。また、第１照明コントローラ２−１は、通信線８１を介して第１スイッチ４−１にスイッチ情報登録のコマンドを送信する。これにより、第１スイッチ４−１において、ゾーン番号であるＺ１と、対応するボタン番号とがひも付けされる。
【００７９】
同様に、設定器１またはリモコン設定器は、ＬＡＮ８０を介して第２照明コントローラ２−２にグループ情報登録及びゾーン情報登録のコマンドを送信する。グループ情報登録に対応するデータ領域には、Ｇ１＝ＴＵ１、Ｇ２＝ＴＵ２、ＴＵ３、ＳＷ１というグループ情報が含まれる。また、ゾーン情報登録に対応するデータ領域には、Ｚ１＝Ｇ１、またぎ可というゾーン情報が含まれる。第２照明コントローラ２−２は、グループ情報及びゾーン情報を不揮発性メモリに保存する。
【００８０】
第２照明コントローラ２−２は、通信線８１を介してＴＵ１と、ＴＵ２及びＴＵ３とにグループ番号登録のコマンドを送信する。また、第２照明コントローラ２−２は、通信線８１を介して第２スイッチ４−２にスイッチ情報登録のコマンドを送信する。これにより、第２スイッチ４−２において、グループ番号であるＧ２と、対応するボタン番号とがひも付けされる。
【００８１】
次に、図５を用いてまたぎの無い場合の通常のスイッチ操作時の通信シーケンスを説明する。ここでは、第２スイッチ４−２のグループ２に対応するボタン４２が押下された場合の動作を説明する。第２スイッチ４−２は、通信線８１を介して第２照明コントローラ２−２にボタン操作通知のコマンドを送信する。ここでは、第２照明コントローラ２−２にＧ２に対応するボタン４２がＯＮされたことが通知される。
【００８２】
第２照明コントローラ２−２は、Ｇ２をＯＮさせるグループ制御指令を送信する。グループ制御指令は、第２照明コントローラ２−２から通信線８１を介して全ての第２端末器３−２であるＴＵ１、ＴＵ２及びＴＵ３にグループ同報される。この結果、第２端末器３−２にうち、Ｇ２に属するＴＵ２及びＴＵ３に接続された照明器具が点灯する。このときの第２端末器３−２の内部動作を以下に説明する。
【００８３】
グループ制御指令を受信した第２端末器３−２は、送信先アドレスに指定されたグループ番号であるＧ２と、自己に登録されたグループ番号とを比較する。送信先アドレスのグループ番号と自己のグループ番号が一致した場合、対象機器はグループ制御指令を処理する。つまり、グループ２に属するＴＵ２、ＴＵ３は、制御側をＯＮさせることにより、負荷として接続された照明器具２０を点灯させる。ここで、制御側は、リモコンリレー６を内蔵した端末器の場合、負荷側となる。
【００８４】
また、第２照明コントローラ２−２は、第２スイッチ４−２にグループ２の状態を表示させるように、スイッチ表示指令を送信する。第２スイッチ４−２には、スイッチ表示指令がグループ同報される。第２スイッチ４−２は、Ｇ２に対応するボタン４２の表示部４４を赤点灯させる。
【００８５】
次に、またぎがある場合のスイッチ操作時の通信シーケンスを説明する。まず、照明器具２０が消灯状態において、ゾーン１に対応する第１スイッチ４−１のゾーンボタンが操作された場合の動作について説明する。
【００８６】
第１スイッチ４−１は、通信線８１を介して第１照明コントローラ２−１にボタン操作通知を送信する。ボタン操作通知に対応するデータ領域にはＺ１がＯＮされた情報が含まれる。ボタン操作通知を受信した第１照明コントローラ２−１は、不揮発性メモリに保存されたＺ１＝Ｇ１というゾーン情報を参照する。第１照明コントローラ２−１は、ゾーン情報に基づき、Ｇ１をＯＮさせるようにグループ制御指令を送信する。
【００８７】
第１照明コントローラ２−１から通信線８１を介して、複数の第１端末器３−１にＧ１をＯＮさせるグループ制御指令がグループ同報される。この結果、Ｇ１に属するＴＵ１、ＴＵ２及びＴＵ３に接続された照明器具２０が点灯する。このときの第１端末器３−１の内部動作を以下に説明する。
【００８８】
グループ制御指令は、送信先アドレスがＧ１であり、データ領域に負荷をＯＮさせる調光指令を含む。複数の第１端末器３−１は、グループ制御指令を受信すると、送信先アドレスのグループ番号であるＧ１と、自己に登録されたグループ番号とを比較する。送信先アドレスのグループ番号と自己のグループ番号とが一致した場合、第１端末器３−１は調光指令を処理する。
【００８９】
グループ１に属するＴＵ１、ＴＵ２及びＴＵ３は、制御側をＯＮさせ、負荷として接続された照明器具２０を点灯させる。このように、第１照明コントローラ２−１は、ゾーンボタンの操作に応じて、複数の第１端末器３−１のうちゾーン１に属する第１端末器３−１に負荷の動作を制御させる。
【００９０】
また、第１照明コントローラ２−１は、ＬＡＮ８０を介して第２照明コントローラ２−２にゾーン制御指令を送信する。ゾーン制御指令は、ゾーンボタンの操作によって指定されたゾーンの情報を含む。ゾーン制御指令のデータ領域には、ゾーン番号であるＺ１と、負荷をＯＮさせる調光指令とが含まれる。
【００９１】
ゾーン制御指令を受信した第２照明コントローラ２−２は、不揮発性メモリに保存されたＺ１＝Ｇ１というゾーン情報を参照する。第２照明コントローラ２−２は、ゾーン情報に基づき、Ｇ１をＯＮさせるようにグループ制御指令を送信する。
【００９２】
第２照明コントローラ２−２から通信線８１を介して、複数の第２端末器３−２にＧ１をＯＮさせるグループ制御指令がグループ同報される。この結果、Ｇ１に属するＴＵ１に接続された照明器具２０が点灯する。このときの第２端末器３−２の内部動作を以下に説明する。
【００９３】
グループ制御指令は、送信先アドレスがＧ１であり、データ領域に負荷をＯＮさせる調光指令を含む。複数の第２端末器３−２は、グループ制御指令を受信すると、送信先アドレスのグループ番号であるＧ１と、自己に登録されたグループ番号とを比較する。送信先アドレスのグループ番号と自己のグループ番号とが一致した場合、第２端末器３−２は調光指令を処理する。このため、グループ１に属するＴＵ１は、制御側をＯＮさせ、負荷として接続された照明器具２０を点灯させる。
【００９４】
本実施の形態では、複数の第２端末器３−２の各々は自己が属するグループを記憶している。ゾーン制御指令は、ゾーン番号として制御対象であるグループの情報を含んでいる。第２照明コントローラ２−２は、ゾーン制御指令を受信すると、制御対象であるグループの情報を複数の第２端末器３−２に送信する。複数の第２端末器３−２は、制御対象であるグループと自己が属するグループとが一致すると、負荷を制御する。
【００９５】
次に、第１照明コントローラ２−１は、第１スイッチ４−１及び第２スイッチ４−２にＺ１がＯＮ状態であることを表示させるように、スイッチ表示指令をゾーン同報する。スイッチ表示指令がゾーン同報される場合、送信先アドレスにはゾーン番号が指定される。また、データ領域にはゾーンの状態が指定される。スイッチ表示指令は、第１照明コントローラ２−１が接続されている通信線８１及びＬＡＮ８０に送信される。
【００９６】
第１スイッチ４−１は、スイッチ表示指令をゾーン同報されると、ゾーン情報Ｚ１＝Ｇ１、ＳＷ１を参照する。第１スイッチ４−１は、自己がＺ１に含まれていることを確認し、Ｚ１に対応するボタン４２の表示部４６を赤点灯させる。このように、第１照明制御システム１１ではゾーン１に第１スイッチ４−１が含まれるため、ゾーン同報により第１スイッチ４−１に複数の第１端末器３−１の状態を表示させることができる。
【００９７】
また、第２照明コントローラ２−２は、第１照明コントローラ２−１からスイッチ表示指令がゾーン同報されると、通信線８１にスイッチ表示指令のコマンドをゾーン同報する。第２スイッチ４−２は、第２照明コントローラ２−２から通信線８１を介してスイッチ表示指令がゾーン同報されると、ゾーン情報Ｚ１＝Ｇ１を参照する。第２照明制御システム１２において、Ｚ１に第２スイッチ４−２は含まれていない。このため、第２スイッチ４−２はスイッチ表示指令を処理しない。
【００９８】
本実施の形態では、第２スイッチ４−２は自己が属するグループＧ２を記憶している。第１照明コントローラ２−１は、第１スイッチ４−１の操作に応じてスイッチ表示指令を送信する。第２スイッチ４−２は、ゾーン番号として通知される制御対象であるグループと、自己が属するグループが一致すると、スイッチ表示指令に応じて表示部４４、４６に複数の第２端末器３−２の状態を表示する。
【００９９】
次に、第１スイッチ４−１において、２回目のゾーンボタンの操作がなされたとする。第１スイッチ４−１は、通信線８１を介して第１照明コントローラ２−１にボタン操作通知を送信する。ボタン操作通知に対応するデータ領域にはＺ１がＯＦＦされた情報が含まれる。ボタン操作通知を受信した第１照明コントローラ２−１は、Ｚ１＝Ｇ１というゾーン情報を参照する。第１照明コントローラ２−１は、ゾーン情報に基づき、Ｇ１をＯＦＦさせるようにグループ制御指令を送信する。
【０１００】
これにより、第１照明コントローラ２−１から通信線８１を介して、複数の第１端末器３−１にＧ１をＯＦＦさせるグループ制御指令がグループ同報される。この結果、グループ１に属するＴＵ１、ＴＵ２及びＴＵ３は、制御側をＯＦＦさせ、負荷として接続された照明器具２０を消灯させる。
【０１０１】
また、第１照明コントローラ２−１は、ＬＡＮ８０を介して第２照明コントローラ２−２にゾーン制御指令を送信する。ゾーン制御指令のデータ領域には、ゾーン番号であるＺ１と、負荷をＯＦＦさせる調光指令とが含まれる。
【０１０２】
ゾーン制御指令を受信した第２照明コントローラ２−２は、Ｚ１＝Ｇ１というゾーン情報を参照する。第２照明コントローラ２−２は、ゾーン情報に基づき、Ｇ１をＯＦＦさせるようにグループ制御指令を送信する。
【０１０３】
これにより、第２照明コントローラ２−２から通信線８１を介して、複数の第２端末器３−２にＧ１をＯＦＦさせるグループ制御指令がグループ同報される。この結果、グループ１に属するＴＵ１は、制御側をＯＦＦさせ、負荷として接続された照明器具２０を消灯させる。
【０１０４】
次に、第１照明コントローラ２−１は、第１スイッチ４−１及び第２スイッチ４−２にＺ１がＯＦＦ状態であることを表示させるように、スイッチ表示指令をゾーン同報する。第１スイッチ４−１は、スイッチ表示指令をゾーン同報され、Ｚ１に対応するボタンの表示部４４を緑点灯させる。
【０１０５】
また、第２照明コントローラ２−２は、第１照明コントローラ２−１からスイッチ表示指令がゾーン同報されると、通信線８１にスイッチ表示指令をゾーン同報する。第２スイッチ４−２は、スイッチ表示指令がゾーン同報されると、ゾーン情報Ｚ１＝Ｇ１を参照する。第２照明制御システム１２において、Ｚ１に第２スイッチ４−２が含まれていないため、第２スイッチ４−２はスイッチ表示指令を処理しない。
【０１０６】
本実施の形態では、一方の制御システムから他方の制御システムに制御情報を送信することにより、機器増設または配線変更をせずに、第１照明制御システム１１から第２照明制御システム１２を制御できる。従って、容易かつ安価で、照明コントローラまたいで端末器を制御できる。
【０１０７】
また、本実施の形態では、グループ同報及びゾーン同報を用いることにより、機器ごとに指令を送信するよりも通信トラフィック等の通信リソースを節約できる。特に、ゾーン制御指令では、データ領域にゾーン番号を含めば良く、制御対象である個々の機器のアドレスを含まなくても良い。このため、通信信号を簡略化できる。
【０１０８】
本実施の形態では、２台の照明コントローラを備えた照明制御システム１０を例にしてゾーン設定及びゾーン制御を説明した。これに限らず、照明制御システム１０が備える照明コントローラは、２台以上であっても良い。
【０１０９】
また、本実施の形態では、またぎ制御の情報としてゾーンを使用した。これに限らず、第１照明コントローラ２−１から送信されるゾーン制御指令は、複数の第２端末器３−２のうち制御対象である第２端末器３−２を指定する情報を含めば良い。このとき、第２照明コントローラ２−２は、ゾーン制御指令に応じて制御対象である第２端末器３−２に負荷の動作を制御させる。例えば、本実施の形態ではスイッチのボタン操作通知および照明コントローラ間の通信でゾーンを対象としているが、グループ情報が指定されても良い。
【０１１０】
なお、本実施の形態で説明した技術的特徴は適宜に組み合わせて用いてもよい。
【符号の説明】
【０１１１】
１  設定器、２−１  第１照明コントローラ、２−２  第２照明コントローラ、３−１  第１端末器、３−２  第２端末器、４−１  第１スイッチ、４−２  第２スイッチ、５−１、５−２  センサ、６  リモコンリレー、７  リモコントランス、１０  照明制御システム、１１  第１照明制御システム、１２  第２照明制御システム、２０  照明器具、４２  ボタン、４４、４６  表示部、８０  ＬＡＮ、８１  通信線
【図１】
2019192605.tif 000005
【図２】
2019192605.tif 000006
【図３】
2019192605.tif 000007
【図４】
2019192605.tif 000008
【図５】
2019192605.tif 000009